(57)【要約】【課題】ブレーキボタンの押下動作に対するブレーキレバーの回転動作の追従性を向上し、コード巻取装置の信頼性を改善した電気掃除機を提供すること。【解決手段】アーム部１４、被操作部８が略Ｌ字状に延設されたブレーキレバー３に対し、支持壁７におけるブレーキレバー３の被操作部８下方にブレーキレバー３の軸支部１３と同心円状の補助支持部１６を形成し、ブレーキレバー３の被操作部８の下端を回動範囲に渡り補助支持部１６で支持することにより、ブレーキレバー３の被操作部８の倒れが軽減し、ブレーキボタン４の押下動作に対するブレーキレバー３の回転動作の追従性が向上すると共に、ブレーキレバー３を補助支持部１６でも支持することにより、軸支部１３への無理な力の負荷及びその負荷による軸支部１３の磨耗が軽減され、ブレーキボタン４の押下動作に対して、ブレーキレバー３が回転不能になる状態を低減することができる。【選択図】図６
2014004272.tif 000002
【特許請求の範囲】
【請求項１】
電源コードを巻き付け収納し、バネ体により回転力を与えられるコードリールと、
前記コードリールを回動自在に軸支する支持壁と、
コードリールの回転を付勢し係止させるブレーキ部と、ブレーキボタンの押下動作により回転力を受ける被操作部と、前記ブレーキ部と前記被操作部を連結させ、かつ軸支部を有し前記支持壁に備えた軸に回動自在に軸支されるアーム部とで構成したブレーキレバーと、
前記ブレーキレバーの被操作部を押し下げ、前記ブレーキレバーを回転させることで前記コードリールの係止を解除しコードの巻き取りを可能にするブレーキボタンと、を備え、前記被操作部を前記アーム部に対し略Ｌ字状に配設し、
前記支持壁における前記ブレーキレバーの被操作部の下方には、前記ブレーキレバーの軸支部と同心円状に形成し、前記ブレーキレバーの被操作部の下端を支持する補助支持部を設けた電気掃除機。
【請求項２】
電源コードを巻き付け収納し、バネ体により回転力を与えられるコードリールと、
前記コードリールを回動自在に軸支する支持壁と、
コードリールの回転を付勢し係止させるブレーキ部と、ブレーキボタンの押下動作により回転力を受ける被操作部と、前記ブレーキ部と前記被操作部を連結させ、かつ軸支部を有し前記支持壁に備えた軸に回動自在に軸支されるアーム部とで構成したブレーキレバーと、
前記ブレーキレバーの被操作部を押し下げ、前記ブレーキレバーを回転させることで前記コードリールの係止を解除しコードの巻き取りを可能にするブレーキボタンと、を備え、前記被操作部を前記アーム部に対し略Ｌ字状に配設し、
前記ブレーキレバーのアーム部には、前記ブレーキレバーの軸支部と同心円状の補助支持突起を設け、前記支持壁の前記補助支持突起との対向面には、前記ブレーキレバーの軸支部と同心円状の補助支持開口部を設け、
前記補助支持突起が前記補助支持開口部に嵌まりこみ、前記補助支持突起を介して前記ブレーキレバー全体を回動範囲に渡り支持するようにした電気掃除機。
【発明の詳細な説明】
【技術分野】
【０００１】
本発明は、電気掃除機のコード巻取装置の構成に関するものである。
【背景技術】
【０００２】
従来の電気掃除機のコード巻取装置は、電源コードを巻き付け収納し、ゼンマイバネにより回転力を与えられるコードリールと、コードリールを回動自在に軸支する支持壁と、支持壁に回動自在に軸支され、コードリールの回転を付勢し係止させるブレーキレバーと、ブレーキレバーの被操作部を操作子の押下動作により回転させ、コードリールの係止を解除し、電源コードの巻き取りを可能にするブレーキボタンを有し、ブレーキレバーをブレーキ部と被操作部の間に位置するアーム部に配設された軸支部で支持壁により回動自在に軸支すると共に、ブレーキレバーの軸支部、アーム部、被操作部及びブレーキボタンの操作子を略一直線状に配設し、ブレーキボタンの操作子からブレーキレバーの被操作部へロスなくスムーズに回転力を伝達させようとするものが多かった（例えば、特許文献１参照）。
【先行技術文献】
【特許文献】
【０００３】
【特許文献１】特開平２−１１６３４０号公報
【発明の概要】
【発明が解決しようとする課題】
【０００４】
しかしながら、前記従来の構成では、ブレーキレバーの軸支部からブレーキボタンの操作子までを略一直線状に配設する必要があり、その場合には、位置関係の制約が厳しく、必ずしもそのように配設が出来るとは限らず、ブレーキボタンの操作子を支持壁から離れたコードリールの上方に配設する必要がある場合などは、支持壁に軸支されたブレーキレバーのアーム部から被操作部を略Ｌ字状に折り曲げ、ブレーキボタンの操作子の下方まで到達させる必要があり、その場合には、ブレーキボタンを押下時、略Ｌ字条に延設されたブレーキレバーの被操作部に押下力が発生し、この押下力による被操作部の倒れが著しい場合には、ブレーキボタンの押下動作に対して、ブレーキレバーがスムーズに回転しない可能性があった。
【０００５】
また、軸支部に対し略Ｌ字条に延設された被操作部に著しい倒れが発生すると、軸支部にはアーム部を介して無理な力が加わり、ブレーキレバーの繰り返し回動動作による軸支部の著しい磨耗が発生し、さらなる被操作部の倒れや位置ズレが発生し、ブレーキボタンの押下動作に対して、ブレーキレバーが回転不能になる可能性があるといった、コード巻取装置の信頼性低下という課題を有していた。
【０００６】
本発明は、前記従来の課題を解決するもので、略Ｌ字状に形成されたブレーキレバーの被操作部の倒れを低減する共に、軸支部の磨耗を低減することで、コード巻取装置の信頼性を改善した電気掃除機を提供することを目的とする。
【課題を解決するための手段】
【０００７】
前記従来の課題を解決するために、本発明の電機掃除機は、電源コードを巻き付け収納し、バネ体により回転力を与えられるコードリールと、前記コードリールを回動自在に軸支する支持壁と、コードリールの回転を付勢し係止させるブレーキ部と、ブレーキボタンの押下動作により回転力を受ける被操作部と、前記ブレーキ部と前記被操作部を連結させ、かつ軸支部を有し前記支持壁に備えた軸に回動自在に軸支されるアーム部とで構成した
ブレーキレバーと、前記ブレーキレバーの被操作部を押し下げ、前記ブレーキレバーを回転させることで前記コードリールの係止を解除しコードの巻き取りを可能にするブレーキボタンと、を備え、前記被操作部を前記アーム部に対し略Ｌ字状に配設し、前記支持壁における前記ブレーキレバーの被操作部の下方には、前記ブレーキレバーの軸支部と同心円状に形成し、前記ブレーキレバーの被操作部の下端を支持する補助支持部を設けたものである。
【０００８】
これによって、ブレーキボタンの操作子からの押下力により、ブレーキレバーの被操作部が著しく倒れようとした場合においても、その倒れが同心円状の補助支持部により回動範囲に渡り支持されることにより、ブレーキレバーの被操作部の倒れが軽減され、ブレーキボタンの押下動作に対するブレーキレバーの回転動作の追従性が向上すると共に、被操作部の倒れ軽減及び補助支持部でもブレーキレバーを支持し、アーム部を介しての軸支部への無理な力の負荷を軽減することで、ブレーキレバーの繰り返し回動操作による軸支部の著しい磨耗も軽減し、被操作部の倒れや位置ズレが軽減され、ブレーキボタンの押下動作に対して、ブレーキレバーが回転不能になる可能性も低減することが出来る。
【発明の効果】
【０００９】
本発明の電気掃除機は、ブレーキボタンの操作子からの押下力により、ブレーキレバーの被操作部が著しく倒れようとした場合においても、その倒れが同心円状の補助支持部により回動範囲に渡り支持されることにより、ブレーキレバーの被操作部の倒れが軽減され、ブレーキボタンの押下動作に対するブレーキレバーの回転動作の追従性が向上すると共に、被操作部の倒れ軽減及び補助支持部でもブレーキレバーを支持し、アーム部を介しての軸支部への無理な力の負荷を軽減することで、ブレーキレバーの繰り返し回動操作による軸支部の著しい磨耗も軽減し、被操作部の倒れや位置ズレが軽減され、ブレーキボタンの押下動作に対して、ブレーキレバーが回転不能になる可能性も低減し、コード巻取装置の信頼性低下を向上することが出来る。
【図面の簡単な説明】
【００１０】
【図１】本発明の実施の形態１における電気掃除機の外観斜視図
【図２】同電気掃除機の内部構造を示す分解斜視図
【図３】同電気掃除機のコードリールユニットの外観斜視図
【図４】同電気掃除機のコードリールユニットの分解斜視図
【図５】同電気掃除機のコードリールユニットの分解斜視図
【図６】同電気掃除機のコードリールユニット動作を説明する要部側面図
【発明を実施するための形態】
【００１１】
第１の発明は、本発明の電機掃除機は、電源コードを巻き付け収納し、バネ体により回転力を与えられるコードリールと、前記コードリールを回動自在に軸支する支持壁と、コードリールの回転を付勢し係止させるブレーキ部と、ブレーキボタンの押下動作により回転力を受ける被操作部と、前記ブレーキ部と前記被操作部を連結させ、かつ軸支部を有し前記支持壁に備えた軸に回動自在に軸支されるアーム部とで構成したブレーキレバーと、前記ブレーキレバーの被操作部を押し下げ、前記ブレーキレバーを回転させることで前記コードリールの係止を解除しコードの巻き取りを可能にするブレーキボタンと、を備え、前記被操作部を前記アーム部に対し略Ｌ字状に配設し、前記支持壁における前記ブレーキレバーの被操作部の下方には、前記ブレーキレバーの軸支部と同心円状に形成し、前記ブレーキレバーの被操作部の下端を支持する補助支持部を設けたものである。
【００１２】
これによって、ブレーキボタンの操作子からの押下力により、ブレーキレバーの被操作部が著しく倒れようとした場合においても、その倒れが同心円状の補助支持部により回動範囲に渡り支持されることにより、ブレーキレバーの被操作部の倒れが軽減され、ブレー
キボタンの押下動作に対するブレーキレバーの回転動作の追従性が向上すると共に、被操作部の倒れ軽減及び補助支持部でもブレーキレバーを支持し、アーム部を介しての軸支部への無理な力の負荷を軽減することで、ブレーキレバーの繰り返し回動操作による軸支部の著しい磨耗も軽減し、被操作部の倒れや位置ズレが軽減され、ブレーキボタンの押下動作に対して、ブレーキレバーが回転不能になる可能性も低減することが出来る。
【００１３】
第２の発明は、電源コードを巻き付け収納し、バネ体により回転力を与えられるコードリールと、前記コードリールを回動自在に軸支する支持壁と、コードリールの回転を付勢し係止させるブレーキ部と、ブレーキボタンの押下動作により回転力を受ける被操作部と、前記ブレーキ部と前記被操作部を連結させ、かつ軸支部を有し前記支持壁に備えた軸に回動自在に軸支されるアーム部とで構成したブレーキレバーと、前記ブレーキレバーの被操作部を押し下げ、前記ブレーキレバーを回転させることで前記コードリールの係止を解除しコードの巻き取りを可能にするブレーキボタンと、を備え、前記被操作部を前記アーム部に対し略Ｌ字状に配設し、前記ブレーキレバーのアーム部には、前記ブレーキレバーの軸支部と同心円状の補助支持突起を設け、前記支持壁の前記補助支持突起との対向面には、前記ブレーキレバーの軸支部と同心円状の補助支持開口部を設け、前記補助支持突起が前記補助支持開口部に嵌まりこみ、前記補助支持突起を介して前記ブレーキレバー全体を回動範囲に渡り支持するようにしたものである。
【００１４】
これによって、ブレーキボタンの操作子からの押下力により、ブレーキレバーの被操作部だけでなく、被操作部と一体のアーム部、つまりブレーキレバー全体が著しく倒れようとした場合においても、その倒れが同心円状の補助支持突起と補助支持開口部により回動範囲に渡り支持されることにより、ブレーキレバー全体の倒れが軽減され、ブレーキボタンの押下動作に対するブレーキレバーの回転動作の追従性が向上すると共に、ブレーキレバー全体の倒れ軽減及び補助支持突起と補助支持開口部でもブレーキレバー全体を支持し、軸支部への無理な力の負荷を軽減することで、ブレーキレバーの繰り返し回動操作による軸支部の著しい磨耗も軽減し、被操作部の倒れや位置ズレが軽減され、ブレーキボタンの押下動作に対して、ブレーキレバーが回転不能になる可能性も低減することができる。
【００１５】
以下、本発明の実施の形態について、図面を参照しながら説明する。なお、この実施の形態によって本発明が限定されるものではない。
【００１６】
（実施の形態１）
図１〜図２に示すように、電気掃除機本体１には、内部にコード巻取装置２が配設され、コード巻取装置２の上方には、コード巻取装置のブレーキレバー３を外部から操作するブレーキボタン４が配設されている。
【００１７】
図３〜図６に示すように、コード巻取装置２は、電源コード５を巻き付け収納し、ゼンマイバネ１２により回転力を与えられるコードリール６、コードリール６を回動自在に軸支する支持壁７、支持壁７に回動自在に軸支され、コードリール６の回転を付勢し係止させるブレーキレバー３、ブレーキレバー３の被操作部８を操作子９の押下動作により回転させ、コードリール６の係止を解除し、電源コード５の巻き取りを可能にするブレーキボタン４から構成されている。
【００１８】
また、ブレーキレバー３は、コードリール６のブレーキ突起１０に当接することでコードリール６の回転を付勢し係止させるブレーキ部１１、コイルバネ（図示せず）で上方向に付勢されたブレーキボタン４の押下動作により回転力を受ける被操作部８、支持壁７から突出した軸２０に嵌まり込む軸支部１３を有し、支持壁７の軸２０と軸支部１３とで回動自在に軸支されているアーム部１４で構成されており、ブレーキ部１１は、板バネ１９でコードリール６の回転を係止させる方向に付勢されている。
【００１９】
ここで、ブレーキボタン４の操作子９は、スペース的理由から、コードリール６の上方に配設されており、その操作子９からブレーキレバー３へと回転力を伝達させるため、ブレーキレバー３の被操作部８は、アーム部１４から略Ｌ字状に延設して形成されている。
【００２０】
また、支持壁７におけるブレーキレバー３の被操作部８下方には、ブレーキレバー３の円形の軸支部１３と同心円状に形成し、ブレーキレバー３の被操作部８の下端を支持する補助支持部１６を設けている。
【００２１】
さらに、ブレーキレバー３のアーム部１４には、ブレーキレバー３の円形の軸支部１３と同心円状の補助支持突起１７を設けると共に、支持壁７の補助支持突起１７との対向面には、補助支持突起１７を開口部内に挿入状態で支持するブレーキレバー３の円形の軸支部１３と同心円状の補助支持開口部１８を設けている。
【００２２】
以上のように構成された電気掃除機について、その動作、作用を説明する。
【００２３】
ブレーキボタン４を押し下げると、ブレーキボタン４の操作子９がブレーキレバー３の被操作部８に当接し、ブレーキボタン４の押下力によりブレーキレバー３に回転力が発生し、ブレーキレバー３が回転することで、ブレーキレバー３のブレーキ部１１とコードリール６のブレーキ突起１０の当接が解除され、コードリール６が回転し、電源コード５が巻き取られる。
【００２４】
この時、ブレーキレバー３の被操作部８が、軸支されているアーム部１４より略Ｌ字状に延設されているため、ブレーキボタン４からの押下力により、ブレーキレバーの被操作部８は、下側に倒れながら回転することになるが、ブレーキレバー３の被操作部８が著しく倒れようとした場合においても、その倒れが同心円状の補助支持部１６により回動範囲に渡り支持されることにより、ブレーキレバー３の被操作部８の倒れや位置ズレが軽減され、ブレーキボタン４の押下動作に対するブレーキレバー３の回転動作の追従性が向上する。
【００２５】
また、補助支持部１６でブレーキレバー３を支持し、アーム部１４を介しての軸支部１３への無理な力の負荷を軽減することで、ブレーキレバー３の繰り返し回動操作による軸支部１３の著しい磨耗が軽減され、ブレーキボタン４の押下動作に対して、ブレーキレバー３が回転不能になる可能性も低減することができる。
【００２６】
さらに、ブレーキボタン４の操作子９からの押下力により、ブレーキレバー３の被操作部８だけでなく、被操作部８と一体のアーム部１４、つまりブレーキレバー３全体が著しく倒れようとした場合においても、その倒れが同心円状の補助支持突起１７と補助支持開口部１８とにより、補助支持突起１７を介してブレーキレバー３全体を回動範囲に渡り支持することにより、ブレーキレバー３全体の倒れが軽減され、ブレーキボタン４の押下動作に対するブレーキレバー３の回転動作の追従性が向上する。
【００２７】
また、補助支持突起１７と補助支持開口部１８でもブレーキレバー３全体を支持し、軸支部１３への無理な力の負荷を軽減することで、ブレーキレバー３の繰り返し回動操作による軸支部１３の著しい磨耗も軽減し、被操作部８の倒れや位置ズレが軽減され、ブレーキボタン４の押下動作に対して、ブレーキレバー３が回転不能になる可能性も低減することができる。
【産業上の利用可能性】
【００２８】
以上のように、本発明にかかる電気掃除機は、交流式の電気掃除機に配設されるコード
巻取装置の信頼性を向上出来るので、家庭、業務用の電気掃除機に有用である。
【符号の説明】
【００２９】
２  コード巻取装置
５  電源コード
３  ブレーキレバー
４  ブレーキボタン
６  コードリール
７  支持壁
８  被操作部
９  操作子
１１  ブレーキ部
１２  ゼンマイバネ
１３  軸支部
１４  アーム部
１６  補助支持部
１７  補助支持突起
１８  補助支持開口部
２０  軸
【図１】
2014004272.tif 000003
【図２】
2014004272.tif 000004
【図３】
2014004272.tif 000005
【図４】
2014004272.tif 000006
【図５】
2014004272.tif 000007
【図６】
2014004272.tif 000008